(57)【要約】【課題】写真フィルムに記録された画像の濃度変化に対して、受光素子から出力される信号の変化量を従来よりも大きくすることで、写真フィルムに記録された画像コマの有無を検出する精度が向上する画像コマ検出装置を得ることを目的とする。【解決手段】写真フィルムの画像コマの外部を透過した透過光を受光することで得られる受光手段からの出力は、前記画像コマの外部の濃度（透過濃度）に対応する。前記画像コマの内部を透過した透過光を受光して得られる前記受光手段からの出力は、前記画像コマの内部の濃度（透過濃度）に対応する。発光手段が、前記写真フィルムの種類によって定まる前記写真フィルムの透過濃度と受光手段の出力との関係において、前記透過濃度の変化に対して前記出力の変化率が所定値以上となるような発光波長の光を出射する。【選択図】　　　　図１０
2004004273.tif 000002
【特許請求の範囲】
【請求項１】
写真フィルムに記録された画像コマの有無を検出するための画像コマ検出装置であって、
前記写真フィルムに対して所定の発光波長の光を照射する発光手段と、
前記発光手段から照射され、前記写真フィルムを透過した透過光を受光する受光手段と、を有し、
前記発光手段が、前記写真フィルムの種類によって定まる前記写真フィルムの透過濃度と受光手段の出力との関係において、前記透過濃度の変化に対して前記出力の変化率が所定値以上となるような発光波長の光を出射する、ことを特徴とする画像コマ検出装置。
【請求項２】
写真フィルムに記録された画像コマの有無を検出するための画像コマ検出装置であって、
前記写真フィルムを構成する少なくとも２つの感光層で個々に生じる発色抑制効果の影響が所定量より大となる可視光の発光波長領域を除いた可視光の発光波長領域内にピークを持つ、所定の発光波長の光を前記写真フィルムに照射する発光手段と、
前記発光手段から照射され、前記写真フィルムを透過した透過光を受光する受光手段と、
を有することを特徴とする画像コマ検出装置。
【請求項３】
前記所定の発光波長が、略６００ｎｍ〜略６２０ｎｍにピークを持つことを特徴とする請求項１又は請求項２記載の画像コマ検出装置。
【請求項４】
前記発光手段がＬＥＤであることを特徴とする請求項１乃至請求項３の何れか１項記載の画像コマ検出装置。
【請求項５】
写真フィルムに記録された画像コマの有無を検出するための画像コマ検出装置であって、
前記写真フィルムに対して、少なくとも前記写真フィルムを構成する少なくとも２つの感光層で個々に生じる発色抑制効果の影響が所定量より大となる可視光の発光波長領域を除いた可視光の発光波長領域に発光スペクトルを持つ光を照射する発光手段と、
前記発光手段から照射され、前記写真フィルムを透過した透過光の中から、所定の発光波長の光を通過させる波長選択フィルタと、
前記波長選択フィルタを通過した前記所定の発光波長の光を受光する受光手段と、を有し、
前記波長選択フィルタが、前記発色抑制効果の影響が所定量より大となる可視光の発光波長領域を除いた可視光の発光波長領域に属する発光波長の光を通過させることを特徴とする画像コマ検出装置。
【発明の詳細な説明】
【０００１】
【発明の属する技術分野】
本発明は、写真フィルムに記録された画像コマの有無を検出するための画像コマ検出装置に関する。
【０００２】
【従来の技術】
従来より写真プリントを作成する際、フィルム搬送装置（フィルムキャリア）でネガフィルム等の写真フィルムを搬送し、ネガフィルムに形成されたネガ画像のコマ（画像コマ）を光学センサによって光電的に読み取り、前記読み取りによって得られた前記ネガ画像を露光装置によって印画紙に焼き付けることが行われている。
【０００３】
前記フィルム搬送装置では、写真フィルムに撮映された画像コマの有無が検出され、前記画像コマに光を照射し、前記画像コマを透過した透過光を検出することで、前記画像コマに記録されている画像を読み取るようになっている。
【０００４】
従来より、前記画像コマを検出するために写真フィルムに対して光を照射する発光素子として、一枚の基板に交互に配置された、赤色の発光波長の光を出射する複数のＬＥＤと黄色の発光波長の光を出射する複数のＬＥＤとが用いられ、さらに、前記画像コマを透過した透過光を検出する受光素子として、４個の異なるフォトトランジスタが用いられた技術（以下、先行技術１という。）が存在する。
【０００５】
また、先行技術１とは異なる技術として、前記画像コマを検出するために写真フィルムに対して光を照射する発光素子として、ピーク波長５７０ｎｍの緑色の光を照射（出射）するＬＥＤが用いられた技術（以下、先行技術２という。）が存在する。
【０００６】
【発明が解決しようとする課題】
しかしながら、先行技術１では、ＬＥＤとフォトトランジスタとが１対１に対応するように対向して設置されていないため、各フォトトランジスタから出力される信号の出力レベルが同一になるようにＬＥＤの発光量を調整することが困難であった。また、赤色の発光波長の光と黄色の発光波長の光とを合成（混合）した光（混合光）は、波長領域の広い発光特性を有し、６５０ｎｍ以上の波長の光を含んでいる。このため、マゼンタ色（以下、「Ｍ色」という。）の画像に対して前記混合光を照射した場合、前記Ｍ色の画像の濃度変化に対するフォトトランジスタから出力される信号の変化量が、画像コマの有無の判断に必要な所定値よりも小さいため、画像コマの有無を検出するには不十分である場合があった。
【０００７】
また、先行技術２では、ＬＥＤから出射される光が、６００ｎｍ以上の波長の光をほとんど含んでいない。このため、画像が写っていない箇所（写真フィルムの画像コマ以外の領域）のフィルム透過濃度（以下、「ベース濃度」という。）に対するフォトトランジスタから出力される信号の出力レベルが、所定値よりも大きくならないと共に、シアン色（以下、「Ｃ色」という。）の画像の濃度変化に対するフォトトランジスタから出力される信号の変化量が、画像コマの有無の判断に必要な変化量よりも小さくなってしまい、画像コマの有無を検出することができない場合があった。
【０００８】
本発明は、上記問題点に鑑み、写真フィルムに記録された画像の濃度変化に対して、受光素子から出力される信号の変化量を従来よりも大きくすることで、写真フィルムに記録された画像コマの有無を検出する精度が向上する画像コマ検出装置を得ることを目的とする。
【０００９】
【課題を解決するための手段】
請求項１に記載の発明は、写真フィルムに記録された画像コマの有無を検出するための画像コマ検出装置であって、前記写真フィルムに対して所定の発光波長の光を照射する発光手段と、前記発光手段から照射され、前記写真フィルムを透過した透過光を受光する受光手段と、を有し、前記発光手段が、前記写真フィルムの種類によって定まる前記写真フィルムの透過濃度と受光手段の出力との関係において、前記透過濃度の変化に対して前記出力の変化率が所定値以上となるような発光波長の光を出射する、ことを特徴としている。
【００１０】
請求項１に記載の発明によれば、写真フィルムの画像コマの外部を透過した透過光を受光することで得られる受光手段からの出力は、前記画像コマの外部の濃度（透過濃度）に対応する。一方、前記画像コマの内部を透過した透過光を受光して得られる前記受光手段からの出力は、前記画像コマの内部の濃度（透過濃度）に対応する。ここで、発光手段が、前記写真フィルムの種類によって定まる前記写真フィルムの透過濃度と受光手段の出力との関係において、前記透過濃度の変化に対して前記出力の変化率が所定値以上となるような発光波長の光を出射する。すなわち、前記画像コマの外部の濃度に対する、前記画像コマの内部の濃度の変化率が所定値以上となるような発光波長の光が出射されることで、画像コマを検出した場合の前記受光手段からの出力と画像コマを検出していない場合の前記受光手段からの出力との違いが明確になり、画像コマの有無を検出する精度が従来よりも向上する。
【００１１】
請求項２に記載の発明は、写真フィルムに記録された画像コマの有無を検出するための画像コマ検出装置であって、前記写真フィルムを構成する少なくとも２つの感光層で個々に生じる発色抑制効果の影響が所定量より大となる可視光の発光波長領域を除いた可視光の発光波長領域内にピークを持つ、所定の発光波長の光を前記写真フィルムに照射する発光手段と、前記発光手段から照射され、前記写真フィルムを透過した透過光を受光する受光手段と、を有することを特徴としている。
【００１２】
請求項２に記載の発明によれば、発色抑制効果の影響が所定量よりも大となると、写真フィルムを透過した透過濃度に対して、受光手段からの出力値が前記透過濃度の順とならない場合がある。このため、画像コマを検出する能力（精度等）が低下してしまう。
【００１３】
ところで、写真フィルムを構成する感光層には、予め着色されているカプラー（所謂カラードカプラー）が含まれている。また、写真は、現像という化学反応により画像を形成するので、この化学反応の生成物は拡散して周囲の現像を抑制する。この効果が他の感光層まで拡散し、現像を抑制する相互作用を「重層効果」という。
【００１４】
上述の発色抑制効果を引き起こす原因として、カラードカプラーと重層効果との少なくとも一方が挙げられる。
【００１５】
発光手段が、上述の発色抑制効果の影響が所定量よりも大となる可視光の発光波長領域を除いた可視光の発光波長領域内にピークを持つ、所定の発光波長の光を写真フィルムに照射することで、受光手段からの出力値が前記透過濃度の順となる。これにより、画像コマを検出した場合の前記受光手段からの出力と画像コマを検出していない場合の前記受光手段からの出力との違いが明確になり、画像コマの有無を検出する精度が従来よりも向上する。
【００１６】
請求項３に記載の発明は、前記請求項１又は前記請求項２に記載の発明において、前記所定の発光波長が、略６００ｎｍ〜略６２０ｎｍにピークを持つことを特徴としている。
【００１７】
請求項３に記載の発明によれば、発光手段から出射される光の発光波長が、略６００ｎｍ〜略６２０ｎｍにピークを持つため、透過濃度の変化に対する受光手段からの出力の変化量が大きくなる。これにより、画像コマを検出した場合の前記受光手段からの出力と画像コマを検出していない場合の前記受光手段からの出力との違いが明確になり、画像コマの有無を検出する精度が向上する。
【００１８】
請求項４に記載の発明は、前記請求項１乃至前記請求項３の何れか１項に記載の発明において、前記発光手段がＬＥＤであることを特徴としている。
【００１９】
請求項４に記載の発明によれば、発光手段がＬＥＤであるため、前記発光手段の小型化が実現できる。
【００２０】
請求項５に記載の発明は、写真フィルムに記録された画像コマの有無を検出するための画像コマ検出装置であって、前記写真フィルムに対して、少なくとも前記写真フィルムを構成する少なくとも２つの感光層で個々に生じる発色抑制効果の影響が所定量より大となる可視光の発光波長領域を除いた可視光の発光波長領域に発光スペクトルを持つ光を照射する発光手段と、前記発光手段から照射され、前記写真フィルムを透過した透過光の中から、所定の発光波長の光を通過させる波長選択フィルタと、前記波長選択フィルタを通過した前記所定の発光波長の光を受光する受光手段と、を有し、前記波長選択フィルタが、前記発色抑制効果の影響が所定量より大となる可視光の発光波長領域を除いた可視光の発光波長領域に属する発光波長の光を通過させることを特徴としている。
【００２１】
請求項５に記載の発明によれば、発色抑制効果の影響が所定量より大となる可視光の発光波長領域に発光スペクトルを持つ光が、発光手段から写真フィルムに照射される光の中に含まれる場合であっても、波長選択フィルタが、前記発色抑制効果の影響が所定量より大となる可視光の発光波長領域に属する発光波長の光をカットする。受光手段は、前記発色抑制効果の影響が所定量よりも大となる可視光の発光波長領域を除いた可視光の発光波長領域に属する所定の発光波長の光を受光する。このため、受光手段からの出力値が上述した透過濃度の順となる。これにより、画像コマを検出した場合の前記受光手段からの出力と画像コマを検出していない場合の前記受光手段からの出力との違いが明確になり、画像コマの有無を検出する精度が従来よりも向上する。また、発光手段から写真フィルムに照射される光は、前記発色抑制効果の影響が所定量よりも大となる可視光の発光波長領域を除いた可視光の発光波長領域に発光スペクトルを持つ光であればよいため、汎用の光源（例えばハロゲンランプ、白色ＬＥＤ、上述の発色抑制効果の影響が所定量よりも大となる可視光の発光波長領域を除いた可視光の発光波長領域に発光スペクトルを持つ光を出射する単色ＬＥＤ等）を適用することができる。
【００２２】
【発明の実施の形態】
（第１の実施の形態）
図１及び図２には、本発明の第１の実施の形態に係るディジタルラボシステム１０の概略構成が示されている。
【００２３】
図１に示すように、このディジタルラボシステム１０は、エリアＣＣＤスキャナ１４、画像処理部１６、レーザプリンタ部１８、及びプロセッサ部２０を含んで構成されており、エリアＣＣＤスキャナ１４と画像処理部１６は、図２に示す入力部２６として一体化されており、レーザプリンタ部１８及びプロセッサ部２０は、図２に示す出力部２８として一体化されている。
【００２４】
エリアＣＣＤスキャナ１４は、ネガフィルムやリバーサルフィルム等の写真フィルム２２に記録されているコマ画像（画像コマ）を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのコマ画像を読取対象とすることができる。エリアＣＣＤスキャナ１４は、上記の読取対象のコマ画像をエリアＣＣＤ３０で読取り、Ａ／Ｄ変換器３２においてＡ／Ｄ変換した後、画像データを画像処理部１６へ出力する。
【００２５】
なお、本実施の形態では、１３５サイズの写真フィルム２２を適用した場合のディジタルラボシステム１０として説明する。
【００２６】
画像処理部１６は、エリアＣＣＤスキャナ１４から出力された画像データ（スキャン画像データ）が入力されると共に、デジタルカメラ３４等での撮影によって得られた画像データ、原稿（例えば反射原稿等）をスキャナ３６（フラットベット型）で読み取ることで得られた画像データ、他のコンピュータで生成され、フロッピディスクドライブ３８、ＭＯドライブ又はＣＤドライブ４０に記録された画像データ、及びモデム４２を介して受信する通信画像データ等（以下、これらをファイル画像データと総称する）を外部から入力することも可能なように構成されている。
【００２７】
画像処理部１６は、入力された画像データを画像メモリ４４に記憶し、色階調処理部４６、ハイパートーン処理部４８、ハイパーシャープネス処理部５０等で各種の補正等の画像処理を行って、記録用画像データとしてレーザプリンタ部１８へ出力する。また、画像処理部１６は、画像処理を行った画像データを画像ファイルとして外部へ出力する（例えばＦＤ、ＭＯ、ＣＤ等の記憶媒体に出力したり、通信回線を介して他の情報処理機器へ送信する等）ことも可能とされている。
【００２８】
レーザプリンタ部１８はＲ、Ｇ、Ｂのレーザ光源５２を備えており、レーザドライバ５４を制御して、画像処理部１６から入力された記録用画像データ（一旦、画像メモリ５６に記憶される）に応じて変調したレーザ光を印画紙に照射して、走査露光（本実施形態では、主としてポリゴンミラー５８、ｆθレンズ６０を用いた光学系）によって印画紙６２に画像を記録する。また、プロセッサ部２０は、レーザプリンタ部１８で走査露光によって画像が記録された印画紙６２に対し、発色現像、漂白定着、水洗、乾燥の各処理を施す。これにより、印画紙上に画像が形成される。
（エリアＣＣＤスキャナの構成）
次にエリアＣＣＤスキャナ１４の構成について図３を参照して説明する。図３にはエリアＣＣＤスキャナ１４の光学系の概略構成が示されている。後述するように、ファインスキャン用のエリアＣＣＤ３０と、プレスキャン用のラインＣＣＤ１０６に対して同一の光源（ハロゲンランプ６４）を用いるものである。
【００２９】
この光学系は、光源であるハロゲンランプ６４を備えている。ハロゲンランプ６４が焦点位置に位置するように、放物面状のリフレクタ２４が配設されており、ハロゲンランプ６４から射出されリフレクタ２４によって反射された光がフィルムキャリア７８の搬送路上の第２読取位置Ｐ２（写真フィルム２２）方向に照射されるものである。
【００３０】
ハロゲンランプ６４の光射出側には、ハロゲンランプ６４からの出射光からＩＲ（赤外光）成分を除去するＩＲカットフィルタ６６、色分解フィルタ７０Ｒ、７０Ｇ、７０Ｂ、ミラーボックス７２が光軸Ｌに沿って順に配設されている。色分解フィルタ７０Ｒ、７０Ｇ、７０Ｂは、それぞれ独立に光路に対して進退可能に構成されており、ハロゲンランプ６４から照射され、ＩＲカットフィルタ６６で赤外光成分をカットされた可視光を色分解するものである。
【００３１】
ミラーボックス７２は、ハロゲンランプ６４からの出射光を内壁で反射して拡散させながら写真フィルム２２のコマ画像に案内するものである。
【００３２】
さらに、ミラーボックス７２の上部には、ミラーボックス７２から射出される可視光の半分程度を反射させる反射ミラー９０が備えられている。この反射ミラー９０で反射された可視光が反射ミラー９２でさらに反射されて後述するフィルムキャリア７８の第１読取位置Ｐ１に案内される構成である。
【００３３】
写真フィルム２２が装填されるフィルムキャリア７８は、プレスキャンとファインスキャンを並行的に処理するために、ループ形成部１００を挟んで写真フィルム２２を連続搬送するプレスキャン部１０２と、写真フィルム２２が所定位置で停止し、コマ画像を読み取られると画像コマピッチ分搬送する間欠的搬送が行なわれるファインスキャン部１０４とを備える。プレスキャン部１０２は、第１読取位置Ｐ１で、ファインスキャン部１０４は第２読取位置Ｐ２で写真フィルム２２に可視光が照射されるように構成されている。
【００３４】
この第１読取位置Ｐ１において、写真フィルム２２を挟んで反射ミラー９２と反対側には、写真フィルム２２を透過した光を結像させるレンズユニット７４、及び結像位置に設けられたラインＣＣＤ１０６が順に配置されている。
【００３５】
ラインＣＣＤ１０６は、ＲＧＢ３色それぞれを単独で読取可能な３個のラインＣＣＤから構成されている。
【００３６】
一方、第２読取位置Ｐ２において、写真フィルム２２を挟んでハロゲンランプ６４と反対側には、写真フィルム２２を透過した光を結像させるレンズユニット７４、及び結像位置に設けられたエリアＣＣＤ３０が順に配置されている。
【００３７】
エリアＣＣＤ３０は、光を検出する複数の画素が写真フィルム２２の長手方向および幅方向に沿って平面（二次元）的に並べられており、全画素が受光した光に応じて電荷を蓄積する機能を有しており、コマ画像（二次元）を電気的に読み取ることができる。
【００３８】
なお、画像処理部１６の画像メモリ４４には、予め可視光（ＲＧＢ）に対するシェーディング補正データが記憶されている。
【００３９】
また、前記フィルムキャリア７８の写真フィルム２２の搬送方向上流側には、前記写真フィルム２２に光を照射するＬＥＤユニット１０８、１０９が設けられている。
【００４０】
さらに、フィルムキャリア７８には、６個のスリットを有するスリット板１１０が設けられている。
【００４１】
また、エリアＣＣＤスキャナ１４には、前記ＬＥＤユニット１０８から出射された光を検出するＰＳＤ（Ｐｏｓｉｔｉｏｎ　Ｓｅｎｓｉｔｉｖｅ　Ｄｅｔｅｃｔｏｒ）センサ１１２Ａ〜１１２Ｄが、前記フィルムキャリア７８及びスリット板１１０を介して前記ＬＥＤユニット１０８と対向する位置に設けられている。さらに、エリアＣＣＤスキャナ１４には、前記ＬＥＤユニット１０９から出射された光を検出するＰＳＤセンサ１１４Ａ及び１１４Ｂが、前記フィルムキャリア７８及びスリット板１１０を介して前記ＬＥＤユニット１０９と対向する位置に設けられている。
【００４２】
図４には、第１の実施の形態に係るフィルムキャリア７８の分解斜視図が示されている。ここで、前記フィルムキャリア７８には、前記写真フィルム２２を搬送方向に案内する役割を有する搬送路ガイド７８Ａ及び７８Ｂが設けられている。
【００４３】
フィルムキャリア７８において、写真フィルム２２の搬送方向（図４中の矢印Ａ方向）上流側には、前記写真フィルム２２に対して光を照射する複数のＬＥＤを備えたＬＥＤユニット１０８が設けられている。また、前記ＬＥＤユニット１０８よりも前記搬送方向の下流側には、前記写真フィルム２２に対して光を照射する複数のＬＥＤを備えたＬＥＤユニット１０９が設けられている。
【００４４】
図５には、ＬＥＤユニット１０８及び１０９の概略を表す斜視図が示されている。
【００４５】
図５に示される如く、第１の実施の形態では、前記ＬＥＤユニット１０８が４個のＬＥＤ１０８Ａ〜１０８Ｄ（斜線部）を備えており、前記ＬＥＤユニット１０９が２個のＬＥＤ１０９Ａ〜１０９Ｂ（斜線部）を備えている。写真フィルム２２に照射される光の発光手段としてＬＥＤを用いることで、装置の小型化を実現できる。
【００４６】
ところで、上述したＬＥＤユニット１０８及び１０９に備えられているＬＥＤ１０８Ａ〜１０８Ｄ及び１０９Ａ〜１０９Ｂの各々からは、略６００ｎｍ〜略６２０ｎｍにピークを持つ発光波長の光が出射されるようになっている。また、前記略６００ｎｍ〜略６２０ｎｍにピークを持つ発光波長の光の半値幅が、１０ｎｍ〜２０ｎｍであることが好ましく、本実施の形態では１６ｎｍとしている。
【００４７】
一方、図４に示される如く、前記フィルムキャリア７８に対して、前記ＬＥＤユニット１０８、１０９の設置位置と反対側には、スリット１１０Ａ〜１１０Ｄ、１１１Ａ〜１１１Ｂを有するスリット板１１０が設けられている。
【００４８】
前記スリット１１０Ａ〜１１０Ｄは、前記ＬＥＤユニット１０８から出射されて前記写真フィルム２２を透過した透過光を、前記搬送方向に所定幅寸法、かつ前記幅方向に所定長さ通過させる役割を有する。また、前記スリット１１１Ａ及び１１１Ｂは、前記ＬＥＤユニット１０９から出射されて前記写真フィルム２２を透過した透過光を、前記搬送方向に所定幅寸法、かつ前記幅方向に所定長さ通過させる役割を有する。
【００４９】
さらに、前記スリット板１１０に対して、前記フィルムキャリア７８の位置と反対側には、ＰＳＤセンサ１１２Ａ〜１１２Ｄ、１１４Ａ〜１１４Ｂが設けられている。すなわち、前記スリット板１１０は、前記写真フィルム２２と前記ＰＳＤセンサ１１２Ａ〜１１２Ｄ、１１４Ａ〜１１４Ｂとの間に配設されるようになっている。
【００５０】
より詳細には、前記フィルムキャリア７８には、切欠き７８Ｃが設けられており、前記切欠き７８Ｃに前記スリット板１１０を嵌入するようになっている。
【００５１】
前記スリット板１１０はガラス板となっており、上述したスリット１１０Ａ〜１１０Ｄ及び１１１Ａ〜１１１Ｂを設けた領域以外の領域は、上述した各ＬＥＤから出射された光を遮光する薄膜で覆われている。
【００５２】
ところで、前記ＰＳＤセンサ１１２Ａ〜１１２Ｄ、１１４Ａ〜１１４Ｂの各々は、前記幅方向に長さＬの受光領域（検出面）を有している。前記受光領域は、スリット状の形状となっている。前記ＰＳＤセンサ１１２Ａ〜１１２Ｄ、１１４Ａ〜１１４Ｂの受光領域の長手方向が写真フィルム２２の搬送方向と直交するように、前記搬送方向と直交する方向（幅方向）に沿って設けられている。
【００５３】
ここで、ＰＳＤセンサ１１２Ａ〜１１２ＤとＬＥＤユニット１０８に設けられているＬＥＤ１０８Ａ〜１０８Ｄとが、１対１に対応かつ対向するように配置されている。また、前記ＬＥＤユニット１０８に設けられたＬＥＤの個数は、上述した如く４個となっており、フィルムキャリア７８に設けられているＰＳＤセンサ１１２Ａ〜１１２Ｄの合計の個数と同数となっている。また、ＰＳＤセンサ１１４Ａ〜１１４ＢとＬＥＤユニット１０９に設けられているＬＥＤ１０９Ａ〜１０９Ｂとが、１対１に対応かつ対向するように配置されている。また、前記ＬＥＤユニット１０９に設けられたＬＥＤの個数は、上述した如く２個となっており、フィルムキャリア７８に設けられているＰＳＤセンサ１１４Ａ〜１１４Ｂの合計の個数と同数となっている。これにより、ＰＳＤセンサ１１２Ａ〜１１２Ｄ及び１１４Ａ〜１１４Ｂから出力される信号の出力レベルを略同一にすることができる。
【００５４】
前記ＰＳＤセンサ１１２Ａは、ＬＥＤ１０８Ａから出射され、かつ前記スリット１１０Ａを通過した光（透過光）を検出する役割を有する。
【００５５】
また、前記ＰＳＤセンサ１１２Ｂは、ＬＥＤ１０８Ｂから出射され、かつ前記スリット１１０Ｂを通過した光（透過光）を検出する役割を有する。
【００５６】
さらに、前記ＰＳＤセンサ１１２Ｃは、ＬＥＤ１０８Ｃから出射され、かつ前記スリット１１０Ｃを通過した光（透過光）を検出する役割を有する。
【００５７】
また、前記ＰＳＤセンサ１１２Ｄは、ＬＥＤ１０８Ｄから出射され、かつ前記スリット１１０Ｄを通過した光（透過光）を検出する役割を有する。
【００５８】
さらに、前記ＰＳＤセンサ１１４Ａは、ＬＥＤ１０９Ａから出射され、かつ前記スリット１１１Ａを通過した光（透過光）を検出する役割を有する。
【００５９】
また、前記ＰＳＤセンサ１１４Ｂは、ＬＥＤ１０９Ｂから出射され、かつ前記スリット１１１Ｂを通過した光（透過光）を検出する役割を有する。
【００６０】
上述したスリット１１０Ａ〜１１０ＤとＰＳＤセンサ１１２Ａ〜１１２Ｄとは、それぞれ写真フィルム２２の幅方向に亘って並んでいる。
【００６１】
また、前記スリット１１１Ａ〜１１１ＢとＰＳＤセンサ１１４Ａ〜１１４Ｂとは、それぞれ前記幅方向に亘って並んでいる。
【００６２】
なお、上述したＰＳＤセンサ１１４Ａ〜１１４Ｂは、前記写真フィルム２２の搬送方向と直交する前記写真フィルム２２の幅方向の前記コマ画像のサイズ（幅寸法）を検出するために用いられる。
【００６３】
図６には、コマ画像の有無を判定するための機能ブロック図が示されている。
【００６４】
上述したＰＳＤセンサ１１２Ａ〜１１２Ｄには、前記ＰＳＤセンサ１１２Ａ〜１１２Ｄからの出力に基づいて、前記ＰＳＤセンサ１１２Ａ〜１１２Ｄと対向する箇所に搬送中の写真フィルム２２の画像コマが位置するか否か、すなわち前記画像コマの有無を判断するための画像コマ有無判定部１１６が接続されている。
【００６５】
また、前記コマ画像有無判定部１１６では、ＰＳＤセンサ１１２Ａ〜１１２Ｄからの出力に基づいて、コマ画像の搬送方向のエッジ位置を判断することができるようになっている。前記搬送方向のコマ画像のエッジ位置を判断すると、前記コマ画像有無判定部１１６からは、前記搬送方向のコマ画像のエッジ位置を認識（検出）したことを示す画像コマエッジ検出信号が、前記画像処理部１６へ出力されるようになっている。
【００６６】
画像処理部１６は、前記画像コマエッジ検出信号を入力すると、写真フィルム２２を搬送方向へ移動するための図示しないパルスモータを駆動させる駆動信号を出力し、前記写真フィルム２２の搬送方向の位置決めを行う。前記搬送方向の位置決めが行われると、上述したプレスキャン及びファインスキャンが実行されるようになっている。
【００６７】
ところで、ＬＥＤユニット１０８よりも搬送方向上流側には、写真フィルム２２の有無を検出するために用いられる、光を出射する図示しないフィルム検出用ＬＥＤが設けられている。また、前記スリット板１１０よりも搬送方向上流側には、スリットを設けた図示しないフィルム検出用スリット板が設けられている。さらに、前記ＰＳＤセンサ１１２Ａ〜１１２Ｄよりも搬送方向上流側には、前記フィルム検出用ＬＥＤから出射された光を検出する図示しないフィルム検出用ＰＳＤセンサが、フィルムキャリア７８及び前記フィルム検出用スリット板を介して前記フィルム検出用ＬＥＤと対向する位置に設けられている。すなわち、前記フィルム検出用ＬＥＤから出射された光が、前記フィルム検出用スリット板に設けられたスリットを介して、前記フィルム検出用ＰＳＤセンサによって検出されるようになっている。
【００６８】
前記フィルム検出用ＰＳＤセンサからの出力に基づいて、写真フィルム２２の有無の判定が、図示しない写真フィルム有無判定部によって行われるようになっている。前記写真フィルム有無判定部によって、写真フィルム２２が存在しない状態（フィルムエンド）であると判定されると、以後コマ画像を検出する処理を実行する必要がないため、プレスキャン及びファインスキャンを終了することを示すスキャン終了信号を前記画像処理部１６へ出力するようになっている。前記画像処理部１６では、前記スキャン終了信号に基づいて、プレスキャン及びファインスキャンを終了する。なお、写真フィルム２２の有無の検出に用いられる受光素子として、ＰＳＤセンサ以外の受光センサを用いてもよい。
【００６９】
図７には、前記ＰＳＤセンサ１１２Ａの受光領域の全てに亘って均一に光を照射した場合における、左出力Ｏ１及び右出力Ｏ２が示されている。前記左出力Ｏ１は、各受光位置での出力（実線の矢印）を積分した△ＰＱＲの面積に相当する出力となる。また、前記右出力Ｏ２は、前記各受光位置での出力（破線の矢印）を積分した△ＰＱＳの面積に相当する出力となる。なお、上述したＰＳＤセンサ１１２Ｂ〜１１２Ｄ、１１４Ａ〜１１４Ｂについては、ＰＳＤセンサ１１２Ａと同一構成であるため、説明を省略する。
（ＬＥＤユニットから出射される光の発光波長についての説明）
図８には、各所定濃度のコマ画像におけるシアン単色（Ｃ単色）スロープネガの分光透過率（以下、「Ｃ単色分光透過率」という。）が示されている。
【００７０】
図８に示される如く、写真フィルム２２に照射される光の発光波長の範囲が略５６０ｎｍ以上の範囲と、前記発光波長の範囲が略４８０ｎｍ以下の範囲とにおいては、写真フィルム２２を透過した透過濃度に対して、ＰＳＤセンサからの出力値が前記透過濃度の順となる。ここで、透過率が大きいほど、前記出力値が大きくなる。すなわち、前記透過濃度が小さくなるほど、前記出力値が大きくなる。しかしながら、前記発光波長の範囲が、略４８０ｎｍ〜略５６０ｎｍの範囲においては、前記写真フィルム２２を透過した透過濃度に対して、必ずしもＰＳＤセンサからの出力値が上述した透過濃度の順にはならない。したがって、前記略４８０ｎｍ〜略５６０ｎｍの範囲の発光波長の光が強いほどＣ単色スロープネガに対する出力特性は悪くなる。
【００７１】
図９には、各所定濃度のコマ画像におけるマゼンタ単色（Ｍ単色）スロープネガの分光透過率（以下、「Ｍ単色分光透過率」という。）が示されている。
【００７２】
図９に示される如く、写真フィルム２２に照射される光の発光波長の範囲が略４８０ｎｍ〜略６２０ｎｍの範囲においては、写真フィルム２２を透過した透過濃度に対して、ＰＳＤセンサからの出力値が前記透過濃度の順になる。ここで、透過率が大きいほど、前記出力値が大きくなる。すなわち、前記透過濃度が小さくなるほど、前記出力値が大きくなる。しかしながら、前記発光波長の範囲が略４８０ｎｍ以下の範囲又は略６２０ｎｍ以上の範囲においては、前記写真フィルム２２を透過した透過濃度に対して、必ずしもＰＳＤセンサからの出力値が上述した透過濃度の順にはならない。したがって、前記略４８０ｎｍ以下の範囲又は略６２０ｎｍ以上の範囲の発光波長の光が強いほどＭ単色スロープネガに対する出力特性は悪くなる。
【００７３】
ところで、写真フィルム２２は、カラー画像を記録するために用いられる写真感光材料として、黄色に発色する色素を含む青感乳剤層、マゼンタ色に発色する色素を含む緑感乳剤層、及びシアン色に発色する色素を含む赤感乳剤層の３つの層（感光層）を、１つの支持体に重ねて塗布した構成となっている。
【００７４】
上述した写真感光材料には、予め着色されているカプラー（所謂カラードカプラー）が含まれている。
【００７５】
ところで、写真は、現像という化学反応により画像を形成するので、この化学反応の生成物は拡散して周囲の現像を抑制する。この効果が他の感光層まで拡散し、現像を抑制する相互作用を「重層効果」という。
【００７６】
図８及び図９に示される如く、Ｃ単色スロープネガ又はＭ単色スロープネガの分光透過率が一部の発光波長領域で反転してしまうと、画像コマを検出する能力（精度等）が低下してしまう。Ｃ単色スロープネガ又はＭ単色スロープネガの分光透過率が一部の発光波長領域で反転している原因は、ネガフィルム特有のマスク処理に使われるカラードカプラーと重層効果との少なくとも一方の影響が大きい。
【００７７】
すなわち、上述のカラードカプラーと重層効果とは、写真フィルム２２を構成する少なくとも２つの感光層で個々に生じる発色を抑制する発色抑制効果を引き起こす原因となる。
【００７８】
写真フィルム２２に照射された光がＣ単色スロープネガ又はＭ単色スロープネガフィルムを透過し、前記透過光を受光したＰＳＤセンサ１１２Ａ〜１１２Ｄの出力値が前記Ｃ単色スロープネガ又は前記Ｍ単色スロープネガのネガ透過濃度に対して反転しないようにするため（すなわち、発色抑制効果の影響が所定量よりも大とならないようにするため）には、前記Ｃ単色スロープネガ又は前記Ｍ単色スロープネガの分光透過率の反転している発光波長領域の影響をできるだけ避けることが望ましい。
【００７９】
したがって、マスク処理に使われるカラードカプラーと重層効果との少なくとも一方による発色抑制効果の影響が所定量より大となる発光波長領域を除いた可視光の発光波長領域にピーク波長の発光スペクトルを持つ、光を出射するＬＥＤ等の発光素子（光源）を用いることが望ましい。
【００８０】
図１０には、Ｃ単色スロープネガに対して所定の発光波長にピークを持つ光を照射した場合における、ネガ透過濃度とＰＳＤセンサ１１２Ａ〜１１２Ｄの出力電圧との関係（ネガ透過濃度−受光手段出力特性）が示されている。図１０に示されるネガ透過濃度の値は、ｓｔａｔｕｓ　Ｍの濃度計を用いて測定したものである。ここでは、６１０ｎｍにピークを持つ光（橙色光）、６２０ｎｍにピークを持つ光（橙色光）、６３０ｎｍにピークを持つ光（橙色光）、６１２ｎｍにピークを持つ光（橙色光）、５７０ｎｍにピークを持つ光（緑色光）、及び白色光の各々をＣ単色スロープネガに照射して得られたネガ透過濃度とＰＳＤセンサ１１２Ａ〜１１２Ｄの出力電圧との関係が示されている。すなわち、図１０には、上述した所定の発光波長（ピーク波長）が異なる光を照射した場合における、ネガ透過濃度とＰＳＤセンサ１１２Ａ〜１１２Ｄの出力電圧との関係が示されている。
【００８１】
ここでは、ネガ透過濃度のうち最も小さい値（ネガ透過濃度が略０．４〜略０．５）でプロットされているものが、写真フィルム２２のベースの濃度（以下、単に「ベース濃度」という。）となっている。
【００８２】
ここで、フィルムスキャナ７８において、搬送されている写真フィルム２２に記録されているコマ画像の前記搬送方向のエッジ位置を検出するには、ＰＳＤセンサ１１２Ａ〜１１２Ｄからの出力が、前記ベース濃度を検出した場合に比して、低下することが好ましい。すなわち、フイルムスキャナ７８では、前記ベース濃度を検出した場合での前記ＰＳＤセンサ１１２Ａ〜１１２Ｄの出力電圧に対する、前記ベース濃度付近の濃度を検出した場合でのＰＳＤセンサ１１２Ａ〜１１２Ｄの出力電圧の値が小さくなればなるほど、写真フィルム２２に記録されているコマ画像の検出感度が高くなることがわかる。
【００８３】
このため、第１の実施の形態では、ＬＥＤユニット１０８に備えられたＬＥＤ１０８Ａ〜１０８Ｄが、前記ベース濃度を検出した場合での前記ＰＳＤセンサ１１２Ａ〜１１２Ｄの出力（出力電圧）に対する、前記ベース濃度付近の濃度（ネガ透過濃度が略０．７）を検出した場合でのＰＳＤセンサ１１２Ａ〜１１２Ｄの出力（出力電圧）の変化率が所定値以上となるような発光波長の光を出射するようにしている。図１０に示される如く、６１０ｎｍ、６２０ｎｍ、６３０ｎｍ、及び６１２ｎｍの何れか１つをピーク波長とする光（可視光）が、コマ画像の検出に適することがわかる。
【００８４】
ところで、従来は、略６００ｎｍ〜略６２０ｎｍにピークを持つ発光波長の光を出射するＬＥＤが存在しなかったため、略５７０ｎｍにピークを持つ発光波長の光がコマ画像に対して照射されていた。
【００８５】
しかしながら、現在では、略６００ｎｍ〜略６２０ｎｍにピークを持つ発光波長の光を出射するＬＥＤが存在する。このため、略６００ｎｍ〜略６２０ｎｍにピークを持つ発光波長の光をコマ画像に照射することで、従来よりもＰＳＤセンサ１１２Ａ〜１１２Ｄで前記コマ画像を検出する精度が向上する。
【００８６】
また、図１１には、Ｍ単色スロープネガに対して所定の発光波長にピークを持つ光を照射した場合における、ネガ透過濃度とＰＳＤセンサ１１２Ａ〜１１２Ｄの出力電圧との関係（ネガ透過濃度−受光手段出力特性）が示されている。図１１に示されるネガ透過濃度の値は、図１０に示されるネガ透過濃度の測定と同様に、ｓｔａｔｕｓ　Ｍの濃度計を用いて測定したものである。ここでは、Ｃ単色スロープネガに対して照射した光と同じ光を各々Ｍ単色スロープネガに照射して得られたネガ透過濃度とＰＳＤセンサ１１２Ａ〜１１２Ｄの出力電圧との関係が示されている。すなわち、図１１には、上述した所定の発光波長（ピーク波長）が異なる光を照射した場合における、ネガ透過濃度とＰＳＤセンサ１１２Ａ〜１１２Ｄの出力電圧との関係が示されている。
【００８７】
ここでは、ネガ透過濃度のうち最も小さい値（ネガ透過濃度が略０．９）でプロットされているものが、写真フィルム２２のベース濃度となっている。
【００８８】
ここで、上述した如く、フイルムスキャナ７８では、前記ベース濃度を検出した場合での前記ＰＳＤセンサ１１２Ａ〜１１２Ｄの出力電圧に対する、前記ベース濃度付近の濃度（ネガ透過濃度が略１．３）を検出した場合でのＰＳＤセンサ１１２Ａ〜１１２Ｄの出力電圧の値が小さくなればなるほど、写真フィルム２２に記録されているコマ画像の検出感度が高くなることがわかる。
【００８９】
このため、上述した如く、第１の実施の形態では、ＬＥＤユニット１０８に備えられたＬＥＤ１０８Ａ〜１０８Ｄが、前記ベース濃度を検出した場合での前記ＰＳＤセンサ１１２Ａ〜１１２Ｄの出力（出力電圧）に対する、前記ベース濃度付近の濃度を検出した場合でのＰＳＤセンサ１１２Ａ〜１１２Ｄの出力（出力電圧）の変化率が所定値以上となるような発光波長の光を出射するようにしている。図１１に示される如く、６１０ｎｍ、６２０ｎｍ、及び６１２ｎｍの何れか１つをピーク波長とする光が、コマ画像の検出に適することがわかる。
【００９０】
赤色の発光波長の光と黄色の発光波長の光とを混合した光（混合光）の場合は、６５０ｎｍ以上の波長の光を含むため、略６２０ｎｍ以上の発光波長の範囲に属する光の割合が多くなり、Ｍ単色スロープネガに対して所定の発光波長にピークを持つ光を照射した場合における、ネガ透過濃度とＰＳＤセンサ１１２Ａ〜１１２Ｄの出力電圧との関係が悪化する。
【００９１】
図１２には、コマ画像の検出に適した発光波長の領域が示されている。
【００９２】
Ｃ単色スロープネガに対しては略４８０ｎｍ以下の発光波長の領域又は略５６０ｎｍ以上の発光波長の領域（発光波長領域Ａ）が好ましい。前記発光波長領域Ａでは、Ｃ単色スロープネガにおいて透過濃度と分光透過率の順番が一致し、コマ画像の検出に適する。
【００９３】
また、Ｍ単色スロープネガに対しては略４８０ｎｍ〜略６２０ｎｍの発光波長の領域（発光波長領域Ｂ）が好ましい。前記発光波長領域Ｂでは、Ｍ単色スロープネガにおいて透過濃度とと分光透過率の順番が一致し、コマ画像の検出に適する。
【００９４】
すなわち、コマ画像の前記搬送方向のエッジの検出に用いられる光のピーク波長は、略５６０〜略６２０ｎｍの発光波長の領域（発光波長領域Ｃ）に属することが好ましい。前記発光波長領域Ｃでは、Ｃ単色スロープネガ及びＭ単色スロープネガの双方において透過濃度と分光透過率の順番が一致し、コマ画像の検出に最も適する。そこで、本実施の形態では、図１０及び図１１に示されるデータに基づき、ＰＳＤセンサ１１２Ａ〜１１２Ｄの出力（出力電圧）の変化率が所定値以上となるように、ＬＥＤ１０８Ａ〜１０８Ｄから出射される光の発光波長が、略６００ｎｍ〜略６２０ｎｍにピークを持つようにしている。
【００９５】
上述した如く、第１の実施の形態では、コマ画像の外部を透過した透過光を受光して得られるＰＳＤセンサ１１２Ａ〜１１２Ｄの出力に対する、前記コマ画像の内部を透過した透過光を受光して得られる前記ＰＳＤセンサ１１２Ａ〜１１２Ｄの出力の値の比が所定値以上となるような発光波長の光を前記ＬＥＤユニット１０８に備えられた各ＬＥＤによって出射するようにしている。
【００９６】
次に、本発明の第１の実施の形態の作用について説明する。
【００９７】
図１３には、本発明の第１の実施の形態に係る、写真フィルム２２に記録されているコマ画像の前記写真フィルム２２の搬送方向のエッジ位置を認識（検出）して前記コマ画像の読取りを行うフローチャートが示されている。
【００９８】
写真フィルム２２がフィルムキャリア７８に挿入される（ステップ２００）と、ステップ２０２へ移行する。
【００９９】
ステップ２０２では、ＬＥＤユニット１０８に備えられたＬＥＤ１０８Ａ〜１０８Ｄが点灯する。ここで、前記ＬＥＤ１０８Ａ〜１０８Ｄからは、略６００ｎｍ〜略６２０ｎｍにピークを持つ発光波長の光が出射される。前記ＬＥＤ１０８Ａ〜１０８Ｄから出射された光が前記写真フィルム２２に照射されると、前記光が前記写真フィルム２２を透過する。前記ＬＥＤ１０８Ａ〜１０８Ｄが点灯すると、フィルムを搬送（ステップ２０４）し、ステップ２０６へ移行する。
【０１００】
ステップ２０６では、前記写真フィルム２２の搬送方向上流側に設けられている４個のＰＳＤセンサ１１２Ａ〜１１２Ｄによって、前記写真フィルム２２を透過した光である透過光を受光する。ここで、図１０及び図１１に示される如く、従来よりもＣ色及びＭ色の濃度変化に対する出力変化が大きくなる。前記４個のＰＳＤセンサ１１２Ａ〜１１２Ｄが前記透過光を受光すると、コマ画像有無判定部１１６では、前記４個のＰＳＤセンサ１１２Ａ〜１１２Ｄの出力に基づいて、前記写真フィルム２２に記録されているコマ画像の前記搬送方向のエッジ位置を検出したか否かが判断される。前記エッジ位置が検出されると、ステップ２０８へ移行する。また、前記エッジ位置が検出されない場合には、ステップ２０９へ移行する。
【０１０１】
ステップ２０８では、写真フィルム２２を搬送方向へ移動するための図示しないパルスモータを駆動させる駆動信号を出力し、検出したコマ画像を撮像位置である、プレスキャン部１０２及びファインスキャン部１０４に搬送する。前記コマ画像が前記撮像位置に停止すると、コマ画像の読取り処理であるプレスキャン及びファインスキャンが行われ、全ての処理を終了する（ステップ２１０）。
【０１０２】
一方、ステップ２０９では、写真フィルム２２が存在しない状態（フィルムエンド）であるか否かの判断が行われる。前記判断が肯定されると、以後コマ画像を検出する処理を実行する必要がないため、ステップ２１０へ移行し、全ての処理を終了する。また、前記判断が否定されると、上述したステップ２０４へ移行する。
【０１０３】
なお、本発明の第１の実施の形態では、画像コマを検出するために用いられる受光素子としてＰＳＤセンサを用いたが、これに限らず、ＰＳＤセンサ以外の受光センサであってもよい。
【０１０４】
また、本発明の第１の実施の形態では、コマ画像（画像コマ）の前記写真フィルム２２の搬送方向のエッジ位置を検出するために、略６００ｎｍ〜略６２０ｎｍの発光波長の光が前記写真フィルム２２に照射されるものとしたが、これに限らない。例えばコマ画像がフルサイズであるかパノラマサイズであるかというような、コマ画像の前記幅方向と直交する方向（幅方向）のサイズを検出するために、前記略６００ｎｍ〜略６２０ｎｍの発光波長の光が用いられても良い。
【０１０５】
本発明の第１の実施の形態によれば、略６００ｎｍ〜略６２０ｎｍに発光波長のピークを持つ光を出射することで、Ｃ色及びＭ色の濃度変化に対する各ＰＳＤセンサの出力変化が大きくなるため、従来よりも前記画像コマの有無を検出する精度が向上する。
（第２の実施の形態）
以下に、本発明の第２の実施の形態について説明する。なお、上述した本発明の第１の実施の形態と同一構成・同一作用の箇所には、同一符号を付して説明を省略する。
【０１０６】
本発明の第２の実施の形態は、スリット板１１０に対してＰＳＤセンサ１１２Ａ〜１１２Ｄ側に波長選択フィルタ１２０、１２２を設け、発色抑制効果の影響が大きい可視光の発光波長領域を除いた可視光の発光波長領域（略６００ｎｍ〜略６２０ｎｍ）の光を主に通過させ、ＰＳＤセンサ１１２Ａ〜１１２Ｄで前記光を受光するようにしたものである。
【０１０７】
また、第２の実施の形態は、光源として第１の実施の形態で用いたＬＥＤユニット１０８、１０９を用いる代わりに前記光の発光スペクトルを持つ光源（ハロゲンランプ１２４、１２６）を用いて、写真フィルム２２に光を照射する構成となっている。
【０１０８】
より詳細には、エリアＣＣＤスキャナ１４は、光源であるハロゲンランプ１２４、１２６を備えている。ハロゲンランプ１２４、１２６が焦点位置に位置するように、放物面状のリフレクタ１２８、１３０が配設されており、ハロゲンランプ１２４、１２６から射出されリフレクタ１２８、１３０によって反射された光がフィルムキャリア７８の搬送路上のスリット１１０Ａ〜１１０Ｄ、１１１Ａ〜１１１Ｂ（写真フィルム２２）方向に照射されるものである。
【０１０９】
ここでは、コマ画像の検出に用いられる光源としてハロゲンランプ１２４を用いているが、これに限らず、白色光を出射するＬＥＤ（白色ＬＥＤ）、上述の発色抑制効果の影響が所定量よりも大となる可視光の発光波長領域を除いた可視光の発光波長領域に発光スペクトルを持つ光を出射する単色ＬＥＤ等でもよい。すなわち、コマ画像の検出に用いられる光源は、上述の発色抑制効果の影響が所定量よりも大となる可視光の発光波長領域を除いた可視光の発光波長領域に発光スペクトルを持つ光を出射する光源であればよく、汎用の光源を適用することができる。コマ画像の検出に用いられる光源としてＬＥＤを用いる場合、前記ＬＥＤから出射される光であって、かつ波長選択フィルタ１２０を通過する光のピーク波長の半値幅は１０ｎｍ〜２０ｎｍであることが好ましい。写真フィルム２２に照射される光の発光手段としてＬＥＤを用いれば、装置の小型化を実現できる。
【０１１０】
ハロゲンランプ１２４、１２６の光射出側には、ハロゲンランプ１２４、１２６からの出射光（白色光）から略６００ｎｍ〜略６２０ｎｍの発光波長の光を主に通過させる波長選択フィルタ１２０、１２２が光軸Ｌａ、Ｌｂに沿って配設されている。ここで、コマ画像の検出に用いられる光源から出射される光が白色光の場合は、波長選択フィルタ１２０を透過（通過）する光の波長領域幅が略２０ｎｍ〜略４０ｎｍであることが好ましい。これにより、発色抑制効果の影響が大きい可視光の発光波長領域に属する光を写真フィルム２２に照射しても、ＰＳＤセンサ１１２Ａ〜１１２Ｄの各々は略６００ｎｍ〜略６２０ｎｍの発光波長の光を受光するため、上述したＬＥＤ１０８Ａ〜１０８Ｄから出射された光を写真フィルム２２に照射した場合と同様の効果を得ることができ、コマ画像の有無を検出する精度が従来よりも向上する。
【０１１１】
次に、本発明の第２の実施の形態の作用について説明する。
【０１１２】
図１５には、本発明の第２の実施の形態に係る、写真フィルム２２に記録されているコマ画像の前記写真フィルム２２の搬送方向のエッジ位置を認識（検出）して前記コマ画像の読取りを行うフローチャートが示されている。
【０１１３】
写真フィルム２２がフィルムキャリア７８に挿入される（ステップ２００）と、ステップ２０２Ａへ移行する。
【０１１４】
ステップ２０２Ａでは、ハロゲンランプ１２４が点灯する。ここで、前記ハロゲンランプ１２４からは、白色光が出射される。白色光には、略６００ｎｍ〜略６２０ｎｍの発光波長の光が含まれている。前記ハロゲンランプ１２４から出射された白色光が前記写真フィルム２２に照射されると、前記光が前記写真フィルム２２を透過する。前記写真フィルム２２を透過した透過光は、波長選択フィルタ１２０によって、略６００ｎｍ〜略６２０ｎｍの発光波長の光を主に通過させる。すなわち、波長選択フィルタ１２０が、上述の発色抑制効果の影響が所定量よりも大となる可視光の発光波長領域に属する発光波長の光をカットする。
【０１１５】
ステップ２０２Ａでの処理が終了すると、第１の実施の形態で説明したステップ２０４乃至ステップ２１０での処理を実行する。
【０１１６】
なお、本発明の第２の実施の形態では、画像コマを検出するために用いられる受光素子としてＰＳＤセンサを用いたが、これに限らず、ＰＳＤセンサ以外の受光センサであってもよい。
【０１１７】
また、本発明の第２の実施の形態では、コマ画像（画像コマ）の前記写真フィルム２２の搬送方向のエッジ位置を検出するために、略６００ｎｍ〜略６２０ｎｍにピークを持つ発光波長の光がＰＳＤセンサによって受光されるものとしたが、これに限らない。例えばコマ画像がフルサイズであるかパノラマサイズであるかというような、コマ画像の前記幅方向と直交する方向（幅方向）のサイズを検出するために、前記略６００ｎｍ〜略６２０ｎｍにピークを持つ発光波長の光がＰＳＤセンサによって受光されるようにしても良い。
【０１１８】
本発明の第２の実施の形態によれば、略６００ｎｍ〜略６２０ｎｍに発光波長のピークを持つ光が各ＰＳＤセンサによって受光されるため、Ｃ色及びＭ色の濃度変化に対する前記各ＰＳＤセンサの出力変化が大きくなり、従来よりも前記画像コマの有無を検出する精度が向上する。
【０１１９】
【発明の効果】
本発明によれば、写真フィルムに記録された画像コマの有無を検出する精度が従来よりも向上する。
【図面の簡単な説明】
【図１】本発明の第１及び第２の実施の形態に係るディジタルラボシステムの概略構成図である。
【図２】本第１及び第２の発明の実施の形態に係るディジタルラボシステムの外観図である。
【図３】本発明の第１の実施の形態に係るエリアＣＣＤスキャナの光学系の概略構成を示す断面図である。
【図４】本発明の第１の実施の形態に係るフィルムキャリアの分解斜視図である。
【図５】本発明の第１の実施の形態に係るＬＥＤユニットの概略を表す斜視図である。
【図６】本発明の第１及び第２の実施の形態に係る、コマ画像の有無を判定するための機能ブロック図である。
【図７】本発明の第１及び第２の実施の形態に係るＰＳＤセンサの出力特性を示す図である。
【図８】本発明の第１及び第２の実施の形態に係る、各所定濃度のコマ画像におけるシアン単色スロープネガの分光透過率を示すグラフである。
【図９】本発明の第１及び第２の実施の形態に係る、各所定濃度のコマ画像におけるマゼンタ単色スロープネガの分光透過率を示すグラフである。
【図１０】本発明の第１及び第２の実施の形態に係る、シアン単色スロープネガに対して所定の発光波長にピークを持つ発光波長の光を照射した場合における、ネガ透過濃度とＰＳＤセンサの出力との関係を示すグラフである。
【図１１】本発明の第１及び第２の実施の形態に係る、マゼンタ単色スロープネガに対して所定の発光波長にピークを持つ発光波長の光を照射した場合における、ネガ透過濃度とＰＳＤセンサの出力との関係を示すグラフである。
【図１２】本発明の第１及び第２の実施の形態に係る、コマ画像の検出に適した発光波長の領域を示す図である。
【図１３】本発明の第１の実施の形態に係る、写真フィルムに記録されているコマ画像の前記写真フィルムの搬送方向のエッジ位置を識別して前記コマ画像の読取りを行うフローチャートである。
【図１４】本発明の第２の実施の形態に係るエリアＣＣＤスキャナの光学系の概略構成を示す断面図である。
【図１５】本発明の第２の実施の形態に係る、写真フィルムに記録されているコマ画像の前記写真フィルムの搬送方向のエッジ位置を識別して前記コマ画像の読取りを行うフローチャートである。
【符号の説明】
１０　　　ディジタルラボシステム
１４　　　エリアＣＣＤスキャナ
１６　　　画像処理部
２２　　　写真フィルム
７８　　　フィルムキャリア
１０８　　ＬＥＤユニット
１０８Ａ　ＬＥＤ（発光手段）
１０８Ｂ　ＬＥＤ（発光手段）
１０８Ｃ　ＬＥＤ（発光手段）
１０８Ｄ　ＬＥＤ（発光手段）
１０９　　ＬＥＤユニット
１０９Ａ　ＬＥＤ（発光手段）
１０９Ｂ　ＬＥＤ（発光手段）
１１０　　スリット板
１１０Ａ　スリット
１１０Ｂ　スリット
１１０Ｃ　スリット
１１０Ｄ　スリット
１１２Ａ　ＰＳＤセンサ（受光手段）
１１２Ｂ　ＰＳＤセンサ（受光手段）
１１２Ｃ　ＰＳＤセンサ（受光手段）
１１２Ｄ　ＰＳＤセンサ（受光手段）
１１６　　画像コマ有無判定部
１２０　　波長選択フィルタ
１２２　　波長選択フィルタ
１２４　　ハロゲンランプ
１２６　　ハロゲンランプ
【図１】
2004004273.tif 000003
【図２】
2004004273.tif 000004
【図３】
2004004273.tif 000005
【図４】
2004004273.tif 000006
【図５】
2004004273.tif 000007
【図６】
2004004273.tif 000008
【図７】
2004004273.tif 000009
【図８】
2004004273.tif 000010
【図９】
2004004273.tif 000011
【図１０】
2004004273.tif 000012
【図１１】
2004004273.tif 000013
【図１２】
2004004273.tif 000014
【図１３】
2004004273.tif 000015
【図１４】
2004004273.tif 000016
【図１５】
2004004273.tif 000017